(57)【特許請求の範囲】
【請求項１】
刃先交換式切削工具のインサート取付座に着脱可能に取り付けられる切削インサートであって、
一対の多角形面と、その周囲に配置される複数の側面とを有する多角形板状のインサート本体を備え、
上記多角形面の辺稜部には切刃が形成され、
上記インサート本体は、上記一対の多角形面に関して、表裏反転対称形状とされ、
これら一対の多角形面は互いに、一方の多角形面がすくい面とされたときに他方の多角形面が上記インサート取付座の底面に着座する着座面とされ、
これら一対の多角形面には、それぞれ一対のインサート側仮想平面上に位置するように配設される一対の当接面が形成され、
上記一対の当接面は、該一対の当接面が形成された上記多角形面が上記着座面とされたときに、上記インサート取付座の上記底面に形成された一対の被当接面にそれぞれ当接可能とされ、
上記インサート本体には、上記一対の多角形面の中心同士を結ぶインサート中心線を中心とした取付孔が形成され、
上記一対のインサート側仮想平面は、上記一対の多角形面のそれぞれにおいて、上記インサート中心線に直交する１つのインサート側仮想直線を含み、このインサート側仮想直線に沿った方向から見て上記インサート側仮想直線を交点としてＸ字状に互いに交差する方向に配置され、
上記インサート本体の上記側面のうち、上記一対の当接面の上記インサート側仮想直線が延びる二方向のうちの一の方向を向く、１つの上記多角形面に対して１つの上記側面には、上記インサート取付座の底面に対して立ち上がる１つの壁面に形成された被当接部に当接可能な、当接部が形成されていることを特徴とする切削インサート。
【請求項２】
上記インサート本体は、上記インサート中心線に関して１８０°回転対称である形状を有し、
上記インサート側仮想直線が延びる二方向のうちの他の方向を向く、１つの上記多角形面に対して他の１つの上記側面には、上記インサート本体を上記インサート中心線回りに１８０°回転させたときに上記被当接部に当接可能な、他の当接部が形成されていることを特徴とする請求項１に記載の切削インサート。
【請求項３】
上記インサート本体の上記多角形面はいずれも四角形状をなし、
上記インサート本体は、互いに反対側に配置される一対の長側面と、互いに反対側に配置される一対の短側面を有し、
上記各多角形面の上記各長側面と交差する上記辺稜部に主切刃がそれぞれ形成され、
上記インサート側仮想直線は、上記多角形面と対向する方向から見て、上記長側面と交差する方向に延び、上記当接部は上記長側面に形成されていることを特徴とする請求項２に記載の切削インサート。
【請求項４】
上記主切刃は、上記長側面に対向する方向から見て、上記多角形面の一方のコーナ部から他方のコーナ部に向かうに従い上記インサート中心線方向に漸次反対側の多角形面側に向かうように傾斜していることを特徴とする請求項３に記載の切削インサート。
【請求項５】
上記インサート本体の上記多角形面は、一対の鈍角コーナ部と一対の鋭角コーナ部を有する平行四辺形状をなし、
上記各多角形面の上記鋭角コーナ部に、上記主切刃に連なるコーナ刃がそれぞれ形成され、
上記各多角形面の上記各短側面と交差する上記辺稜部の上記鋭角コーナ部側には、上記コーナ刃に連なる副切刃がそれぞれ形成され、
上記インサート側仮想直線は、上記多角形面と対向する方向から見て、上記長側面に直交する方向に延びていることを特徴とする請求項３または請求項４に記載の切削インサート。
【請求項６】
上記主切刃は、上記長側面に対向する方向から見て、平行四辺形状をなす上記多角形面の上記鋭角コーナ部から上記鈍角コーナ部に向かうに従い上記インサート中心線方向に漸次反対側の多角形面側に向かうように傾斜していることを特徴とする請求項５に記載の切削インサート。
【請求項７】
上記一対の当接面は、上記辺稜部と間隔をあけて上記多角形面上の内側に形成されていることを特徴とする請求項１から請求項６のうちいずれか一項に記載の切削インサート。
【請求項８】
上記一対の当接面はそれぞれ、上記一対のインサート側仮想平面に沿って配置される互いに離間した複数の当接面部を有していることを特徴とする請求項１から請求項７のうちいずれか一項に記載の切削インサート。
【請求項９】
上記一対の当接面はそれぞれ、上記一対のインサート側仮想平面に沿って連続していることを特徴とする請求項１から請求項７のうちいずれか一項に記載の切削インサート。
【請求項１０】
刃先交換式切削工具であって、
軸線回りに回転される工具本体と、
上記工具本体の外周に、着脱可能に取り付けられた、請求項１から請求項９のうちいずれか一項に記載の切削インサートとを具備し、
上記工具本体には、１または２以上の上記インサート取付座が、上記底面を工具回転方向に向けるとともに、この底面に対して工具回転方向に立ち上がる上記１つの壁面を有して形成され、
上記インサート取付座の上記底面には、上記切削インサートの上記着座面とされた上記多角形面の上記一対の当接面と当接する一対の上記被当接面が、それぞれ一対の取付座側仮想平面に沿って形成され、
上記一対の取付座側仮想平面は、上記底面上に延びて上記１つの壁面に交差する１つの取付座側仮想直線を含み、この取付座側仮想直線に沿って上記１つの壁面に対向する方向から見て、上記着座面とされた上記多角形面の上記一対のインサート側仮想平面が上記インサート側仮想直線に沿った方向に見たときになすＸ字と相補的なＸ字状に互いに交差する方向に配置され、
上記インサート取付座の上記１つの壁面には、上記切削インサートの当接部と当接する被当接部が形成されていることを特徴とする刃先交換式切削工具。
【発明の詳細な説明】
【技術分野】
【０００１】
本発明は、切削インサートのクランプ機構に係わり、特に転削加工に用いられる刃先交換式切削工具に着脱可能に取り付けられる切削インサート、および、その切削インサートを取り付けた刃先交換式切削工具に関する。
【背景技術】
【０００２】
転削加工用の刃先交換式切削工具に取り付けられる切削インサート、および上記切削インサートを取り付けた刃先交換式切削工具としては、例えば特許文献１（特開２００４−２８４０１０号公報）に記載されたものが知られている。特許文献１に記載の切削インサートは、長方形板状のインサート本体を有し、インサート本体の一対の長方形面の辺稜部に切刃が形成されている。上記一対の長方形面のうち、第１の長方形面には、その１つの対角線方向に延びる溝が形成され、他の１つの対角線上に位置する２つのコーナから、上記溝に向けて下降する斜面がそれぞれ形成されている。
【０００３】
また、第２の長方形面には、上記第１の長方形面側から透視したときに、第１の長方形面の上記他の１つの対角線方向に延びる溝が形成され、上記１つの対角線方向に並ぶ２つのコーナから上記溝に向けて下降する斜面が形成されている。すなわち、インサート本体が、上記第１および第２の長方形面の中心を結ぶ中心線に直交し、かつ４つのインサート本体の側面にそれぞれ直交する２つの軸線を中心として、捩られたような形状とされている。
【０００４】
この切削インサートは、刃先交換式切削工具の工具本体に形成されたインサート取付座に着脱可能に取り付けられる。インサート取付座の底面は工具回転方向を向いており、この底面の形状は、上記第１の長方形面と相補的な支持面とされており、この底面により第１の長方形面が支持される。また、インサート取付座の工具本体先端側と外周側を向く２つの平らな壁面には、前記第１の長方形面の上記溝と交差するインサート本体の２つの側面が支持される。
【０００５】
ところで、この特許文献１に記載の切削インサートは、このように２つの側面がインサート取付座の２つの支持面に支持されて取り付けられているため、例えば、インサート取付座の工具本体先端側を向く壁面の支持面には、インサート本体の側面を支持するのに十分な面積を要する。さらに、この支持面の後端側には、インサート本体に作用する回転軸線方向の切削負荷を受け止めるのに必要な肉厚を、工具本体に確保しなければならない。
【０００６】
しかしながら、このようにインサート取付座の先端側を向く支持面の面積を大きくし、またその後端側に十分な肉厚を工具本体に確保しようとすると、例えばこのインサート取付座の後端側に大きなチップポケットを形成して、切屑排出性の向上を図ることはできない。また、１つの切屑排出溝に臨んで複数のインサート取付座を形成して切削インサートを取り付けようとしても、隣接するインサート取付座の間には十分な間隔を確保しなければならないため、結果的に複数の切屑排出溝の複数の切削インサートによって１つの切刃列を形成せざるを得なくなって、加工効率の低下を招くことになる。
【０００７】
一方、特許文献１に記載の切削インサートでは、工具本体の外周側を向くインサート取付座の支持面にも十分な面積を要するとともに、工具本体の内周側には、インサート本体に作用する工具径方向の切削負荷を受け止め得る肉厚を、確保しなければならない。このため、このインサート取付座の内周側にも大きなチップポケットは形成することができない。また、特に極小径の刃先交換式の切削工具においては、周方向に複数のインサート取付座を形成すると十分な肉厚を確保することができなくなる。従って、１つの切削インサートしか周方向には取り付けることができなくなり、やはり加工効率の低下を免れることはできない。
【先行技術文献】
【特許文献】
【０００８】
【特許文献１】特開２００４−２８４０１０号公報
【発明の概要】
【発明が解決しようとする課題】
【０００９】
本発明は、このような背景の下になされたもので、インサート取付座の壁面に複数の支持面を要することがなく、これにより刃先交換式切削工具のインサート取付座後方側や内周側に大きなチップポケットを形成して切屑排出性の向上を図るとともに、工具本体の回転軸線方向や周方向により多くの切削インサートを取り付けて加工効率も向上させることが可能な切削インサートを提供することを目的としている。また、本発明は、上記切削インサートを取り付けた刃先交換式切削工具を提供することを目的としている。
【課題を解決するための手段】
【００１０】
本発明の一態様の切削インサートは、刃先交換式切削工具のインサート取付座に着脱可能に取り付けられる切削インサートであって、以下のいずれかの構成を備える。
【００１１】
（１）刃先交換式切削工具のインサート取付座に着脱可能に取り付けられる切削インサートであって、
一対の多角形面と、その周囲に配置される複数の側面とを有する多角形板状のインサート本体を備え、
上記多角形面の辺稜部には切刃が形成され、
上記インサート本体は、上記一対の多角形面に関して、表裏反転対称形状とされ、
これら一対の多角形面は互いに、一方の多角形面がすくい面とされたときに他方の多角形面が上記インサート取付座の底面に着座する着座面とされ、
これら一対の多角形面には、それぞれ一対のインサート側仮想平面上に位置するように配設される一対の当接面が形成され、
上記一対の当接面は、該一対の当接面が形成された上記多角形面が上記着座面とされたときに、上記インサート取付座の上記底面に形成された一対の被当接面にそれぞれ当接可能とされ、
上記インサート本体には、上記一対の多角形面の中心同士を結ぶインサート中心線を中心とした取付孔が形成され、
上記一対のインサート側仮想平面は、上記一対の多角形面のそれぞれにおいて、上記インサート中心線に直交する１つのインサート側仮想直線を含み、このインサート側仮想直線に沿った方向から見て上記インサート側仮想直線を交点としてＸ字状に互いに交差する方向に配置され、
上記インサート本体の上記側面のうち、上記一対の当接面の上記インサート側仮想直線が延びる二方向のうちの一の方向を向く、１つの上記多角形面に対して１つの上記側面には、上記インサート取付座の底面に対して立ち上がる１つの壁面に形成された被当接部に当接可能な、当接部が形成されている。
【００１２】
（２）上記（１）において、上記インサート本体は、上記インサート中心線に関して１８０°回転対称である形状を有し、
上記インサート側仮想直線が延びる二方向のうちの他の方向を向く、１つの上記多角形面に対して他の１つの上記側面には、上記インサート本体を上記インサート中心線回りに１８０°回転させたときに上記被当接部に当接可能な、他の当接部が形成されていることを特徴とする。
【００１３】
（３）上記（２）において、上記インサート本体の上記多角形面はいずれも四角形状をなし、
上記インサート本体は、互いに反対側に配置される一対の長側面と、互いに反対側に配置される一対の短側面を有し、
上記各多角形面の上記各長側面と交差する上記辺稜部に主切刃がそれぞれ形成され、
上記インサート側仮想直線は、上記多角形面と対向する方向から見て、上記長側面と交差する方向に延び、上記当接部は上記長側面に形成されている。
【００１４】
（４）上記（３）において、上記主切刃は、上記長側面に対向する方向から見て、上記多角形面の一方のコーナ部から他方のコーナ部に向かうに従い上記インサート中心線方向に漸次反対側の多角形面側に向かうように傾斜している。
【００１５】
（５）上記（３）または（４）において、上記インサート本体の上記多角形面は、一対の鈍角コーナ部と一対の鋭角コーナ部を有する平行四辺形状をなし、
上記各多角形面の上記鋭角コーナ部に、上記主切刃に連なるコーナ刃がそれぞれ形成され、
上記各多角形面の上記各短側面と交差する上記辺稜部の上記鋭角コーナ部側には、上記コーナ刃に連なる副切刃がそれぞれ形成され、
上記インサート側仮想直線は、上記多角形面と対向する方向から見て、上記長側面に直交する方向に延びている。
【００１６】
（６）上記（５）において、上記主切刃は、上記長側面に対向する方向から見て、平行四辺形状をなす上記多角形面の上記鋭角コーナ部から上記鈍角コーナ部に向かうに従い上記インサート中心線方向に漸次反対側の多角形面側に向かうように傾斜している。
【００１７】
（７）上記（１）〜（６）のいずれか１つにおいて、上記一対の当接面は、上記辺稜部と間隔をあけて上記多角形面上の内側に形成されている。
【００１８】
（８）上記（１）〜（７）のいずれか１つにおいて、上記一対の当接面はそれぞれ、上記一対のインサート側仮想平面に沿って配置される互いに離間した複数の当接面部を有している。
【００１９】
（９）上記（１）〜（７）のいずれか１つにおいて、上記一対の当接面はそれぞれ、上記一対のインサート側仮想平面に沿って連続している。
【００２０】
また、本発明の刃先交換式切削工具は、以下の構成を備えている。
（１０）刃先交換式切削工具であって、
軸線回りに回転される工具本体と、
上記工具本体の外周に、着脱可能に取り付けられた、（１）〜（９）のうちいずれか１つの切削インサートとを具備し、
上記工具本体には、１または２以上の上記インサート取付座が、上記底面を工具回転方向に向けるとともに、この底面に対して工具回転方向に立ち上がる上記１つの壁面を有して形成され、
上記インサート取付座の上記底面には、上記切削インサートの上記着座面とされた上記多角形面の上記一対の当接面と当接する一対の上記被当接面が、それぞれ一対の取付座側仮想平面に沿って形成され、
上記一対の取付座側仮想平面は、上記底面上に延びて上記１つの壁面に交差する１つの取付座側仮想直線を含み、この取付座側仮想直線に沿って上記１つの壁面に対向する方向から見て、上記着座面とされた上記多角形面の上記一対のインサート側仮想平面が上記インサート側仮想直線に沿った方向に見たときになすＸ字と相補的なＸ字状に互いに交差する方向に配置され、
上記インサート取付座の上記１つの壁面には、上記切削インサートの当接部と当接する被当接部が形成されている。
【００２１】
上記構成の切削インサートまたは刃先交換式切削工具においては、上述のようにインサート本体の一対の多角形面のうち一方がすくい面とされて他方が着座面とされたとき、この着座面とされる多角形面に形成された一対の当接面がインサート取付座底面の一対の被当接面にそれぞれ当接させられる。
【００２２】
ここで、一対の当接面が配設される一対のインサート側仮想平面は、この一対の当接面が形成された多角形面上に延びるインサート側仮想直線をそれぞれ含むとともに、このインサート側仮想直線に沿った方向から見てＸ字状に互いに交差する方向に配置されている。一方、一対の被当接面が形成される一対の取付座側仮想平面も、インサート取付座底面上に延びる取付座側仮想直線をそれぞれ含むとともに、この取付座側仮想直線に沿って上記１つの壁面に対向する方向から見て、上記一対のインサート側仮想平面が上記インサート側仮想直線に沿った方向に見たときになすＸ字と相補的なＸ字状に互いに交差する方向に配置されている。
【００２３】
このため、上述のようにインサート本体の着座面の一対の当接面が取付座底面の一対の被当接面に当接させられた状態で、各一対のインサート側仮想平面と取付座側仮想平面とが一致するとともにインサート側仮想直線と取付座側仮想直線も一致し、インサート本体は、これら仮想直線に沿った方向には移動が許容されるものの、それ以外の方向には移動が拘束される。
【００２４】
そして、インサート本体において、これら仮想直線が延びる二方向のうちの一の方向を向く、１つの上記多角形面に対して１つの上記側面には、インサート取付座の底面に対して立ち上がる１つの壁面に形成された被当接部に当接可能な当接部が形成されているので、インサート本体を取付座底面に押圧するとともにこの一の方向にも押圧してインサート取付座に取り付けることにより、当接部が被当接部に当接してインサート本体は仮想直線に沿った方向にも移動が拘束され、インサート取付座に固定される。すなわち、インサート本体は、インサート取付座底面の被当接面と１つのインサート取付座壁面の被当接部とにより固定され、これ以外の壁面を要することがない。
【００２５】
従って、この被当接部が設けられる壁面を、軸線回りに回転される工具本体のインサート取付座底面に対して工具本体内周側に配置した場合には、工具本体後端側の壁面を小さくしたり、この壁面の後端側における工具本体の肉厚を小さくしたり、場合によっては壁面そのものを不要としたりすることができる。このため、インサート取付座の工具本体後端側に大きなチップポケットを形成して切屑排出性の向上を図ったり、軸線方向に近接させて次のインサート取付座を形成することによって長刃型の刃先交換式切削工具における切刃の配列を容易に設定したりすることが可能となる。
【００２６】
一方、被当接部が設けられる壁面をインサート取付座の工具本体後端側に配置した場合には、逆に工具本体内周側の壁面を小さくしたり、この壁面の内周側の工具本体の肉厚を小さくしたり、場合によっては内周側壁面そのものを不要としたりすることができる。従って、インサート取付座の内周側のチップポケットを大きくしたり、極小径の刃先交換式切削工具であっても周方向に複数のインサート取付座を設けて、より多くの切削インサートを取り付けたりすることができる。
【００２７】
また、上記構成の切削インサートでは、インサート本体が表裏反転対称形状とされていて、表裏一対の多角形面それぞれについて、そのインサート側仮想直線が延びる二方向のうち一方向を向く１つの側面に上記当接部が形成されている。従って、インサート本体を反転させてインサート取付座に取り付け直すことにより、これらの多角形面をそれぞれ交互にすくい面と着座面として、１つのインサート本体で少なくとも２回、すくい面とされた多角形面の辺稜部に形成された切刃を使用することが可能となる。
【００２８】
さらに、このインサート本体を、一対の多角形面のインサート側仮想直線に直交するインサート中心線に関して１８０°回転対称である形状とし、上記インサート側仮想直線が延びる二方向のうちの他の方向を向く、１つの上記多角形面に対して他の１つの上記側面には、上記インサート本体を上記中心線回りに１８０°回転させたときに上記被当接部に当接可能な、他の当接部を形成することにより、１つの多角形面について２回ずつの、１つのインサート本体で合計４回の切刃の使用が可能となる。
【００２９】
例えば、上記インサート本体の上記多角形面をいずれも四角形状として、上記インサート本体を、互いに反対側に配置される一対の長側面と、互いに反対側に配置される一対の短側面を有するものとし、上記各多角形面の上記各長側面と交差する上記辺稜部に主切刃をそれぞれ形成して、上記インサート側仮想直線を、上記多角形面と対向する方向から見て、上記長側面と交差する方向に延びるようにして、上記当接部を上記長側面に形成すれば、これら長側面と四角形の多角形面との交差稜線部に形成された主切刃を１つのインサート本体で少なくとも４回使用することができる。また、長側面に当接部を形成することによってインサート取付座の被当接部との当接長さを長くすることができ、切削インサートの着座安定性を向上させることもできる。
【００３０】
なお、こうして多角形面を四角形状として、インサート本体を各一対の長側面と短側面とを有するものとしたときに、上記主切刃を、上記長側面に対向する方向から見て、上記多角形面の一方のコーナ部から他方のコーナ部に向かうに従い上記インサート中心線方向に漸次反対側の多角形面側に向かうように傾斜させた場合には、一方のコーナ部と他方のコーナ部のインサート中心線方向の高さが異なるために上記多角形面は複雑に捩れた面となるが、このような複雑に捩れた多角形面からなる切削インサートであっても、多角形面上に一対のインサート側仮想平面に沿って延びる一対の当接面を形成させることで、上記機能を達成させることができる。
【００３１】
特に、このようにインサート本体の多角形面を四角形状としたときには、この四角形状の多角形面を、一対の鈍角コーナ部と一対の鋭角コーナ部を有する平行四辺形状として、上記各多角形面の上記鋭角コーナ部に、上記主切刃に連なるコーナ刃をそれぞれ形成し、また上記各多角形面の上記各短側面と交差する上記辺稜部の上記鋭角コーナ部側には、上記コーナ刃に連なる副切刃をそれぞれ形成し、さらに上記インサート側仮想直線を、上記多角形面と対向する方向から見て、上記長側面に直交する方向に配置することにより、この長側面に形成されることになる当接部をインサート取付座の壁面に形成される被当接部に垂直に押しつけて、より安定した切削インサートの取り付けを図ることができる。
【００３２】
なお、こうして多角形面を平行四辺形状とした場合には、上記主切刃を、上記長側面に対向する方向から見て、平行四辺形状をなす上記多角形面の上記鋭角コーナ部から上記鈍角コーナ部に向かうに従い上記インサート中心線方向に漸次反対側の多角形面側に向かうように傾斜させることにより、この主切刃を工具本体の外周側に向けるとともに上記副切刃を工具本体の先端側に向けてインサート本体をインサート取付座に取り付けたときに、主切刃に正の軸方向すくい角を与えることができる。
【００３３】
また、上記一対の当接面を、上記辺稜部と間隔をあけて上記多角形面上の内側に形成することで、この多角形面の外周側領域に例えばポジすくい面を形成して切削抵抗の低減を図ることが可能となる。しかも、こうしてポジすくい面を形成しても、上記構成の切削インサートでは、着座面とされた多角形面においては上記一対の当接面以外の部分をインサート取付座に当接させないようにすることができるので、インサート取付時においてこのポジすくい面や切刃に損傷が生じるのを防ぐことができる。また、このように当接面を形成することにより、ポジすくい面や切刃に切削による損傷が生じた場合でも、その影響を受け難くすることができるため、インサート本体を反転させたりインサート中心線回りに１８０°回転させたりして取り付け直す際、ポジすくい面や切刃の損傷に関わらず、切削インサートをインサート取付座に着座させることが可能である。
【００３４】
なお、上記一対の当接面はそれぞれ、上述のように一対のインサート側仮想平面上に配置されていれば、互いに離間した複数の当接面部を有して構成されていてもよく、また上記一対のインサート側仮想平面に沿って連続して形成されていてもよい。例えば、寸法の小さいインサート本体を上記取付孔に挿通したクランプネジによってインサート取付座に取り付ける場合には、このクランプネジが挿通される取付孔が上記一対の多角形面に開口するため、一対の当接面はこの取付孔を避けるように互いに離間した複数の当接面部によって形成されていてもよい。
【発明の効果】
【００３５】
以上説明したように、本発明の切削インサートおよび刃先交換式切削工具によれば、インサート取付座の工具本体後端側または内周側に大きなチップポケットを確保することができるので、切屑排出性の向上を図ることができるとともに、工具本体の回転軸線方向または周方向に取付可能な切削インサートの数を増やして、効率的な切削加工を促すことが可能となる。
【図面の簡単な説明】
【００３６】
【図１】本発明の切削インサートの第１の実施形態を示す斜視図である。
【図２】図１に示す実施形態の平面図である。
【図３】図１に示す実施形態の側面図である。
【図４】図１に示す実施形態の正面図である。
【図５】第１の実施形態の切削インサートを取り付けた本発明の刃先交換式切削工具の一実施形態を示す斜視図である。
【図６】図５に示す実施形態の先端部の拡大平面図である。
【図７】図５に示す実施形態の先端部の拡大側面図である。
【図８】図５に示す実施形態の拡大正面図である。
【図９】図５に示す実施形態から切削インサートを取り外した工具本体の斜視図である。
【図１０】図９に示す工具本体の先端部の拡大平面図である。
【図１１】図９に示す工具本体の先端部の拡大側面図である。
【図１２】図９に示す工具本体の拡大正面図である。
【図１３】図８に示す実施形態を一方の切削インサート（図８の右側の切削インサート）の着座面とされる多角形面（平行四辺形面）上のインサート側仮想直線に垂直な方向から見た拡大正面図である。
【図１４】図１３におけるＡＡ部分拡大断面図（着座面とされた平行四辺形面のインサート側仮想直線および取付座側仮想直線に直交する断面図）である。
【図１５】図１３におけるＢＢ部分拡大断面図（着座面とされた平行四辺形面のインサート側仮想直線および取付座側仮想直線に直交する断面図）である。
【図１６】図７におけるＡＡ部分拡大断面図である。
【図１７】図７におけるＢＢ部分拡大断面図である。
【図１８】図１７における主切刃（図１７の右上の主切刃）の拡大断面図である。
【図１９】図１６と図１７に示すインサート本体の断面を重ね合わせた図である。
【図２０】図１９における主切刃のすくい角と逃げ角を説明する図（図１９におけるＡ部の拡大図）である。
【図２１】図１８に示す主切刃の逃げ面の変形例を示す断面図である。
【図２２】図１８に示す主切刃の逃げ面の他の変形例を示す断面図である。
【図２３】図１に示す実施形態を図２における矢線Ｘ方向から見た側面図である。
【図２４】図１に示す実施形態の一対の多角形面の輪郭を示す平面図である。
【図２５】図１に示す実施形態の１つの長側面に形成される逃げ面を示す概略図である。
【図２６】図１に示す実施形態に対して一対の多角形面を捩らずに形成した場合の輪郭を示す平面図である。
【図２７】図２６に示す場合の１つの長側面に形成される逃げ面を示す概略図である。
【図２８】本発明の切削インサートの第２の実施形態を示す斜視図である。
【図２９】図２８に示す実施形態の平面図である。
【図３０】図２８に示す実施形態の側面図である。
【図３１】図２８に示す実施形態の正面図である。
【発明を実施するための形態】
【００３７】
図１ないし図４は、本発明の切削インサートの第１の実施形態の外観を示し、図５ないし図８はこの第１の実施形態の切削インサートを取り付けた本発明の刃先交換式切削工具の一実施形態の外観を示す。さらに、図９ないし図１２はこの一実施形態の刃先交換式切削工具において切削インサートが取り外された状態の工具本体の外観を示す。
【００３８】
本実施形態の切削インサートはインサート本体１を有する。インサート本体１は、超硬合金、サーメット、表面被覆超硬合金、および表面被覆サーメット等から選択される硬質材料により、多角形の板状、詳しくは多角形面が四角形状をなす板状、さらに詳しくは多角形面が概略平行四辺形状をなす板状に形成され、周回り方向に各一対の鋭角コーナ部Ａと鈍角コーナ部Ｂとが交互に配置される一対の平行四辺形面２と、それらの辺稜部をつなぐ一対の長側面３および一対の短側面４とを備えている。
【００３９】
これら一対の平行四辺形面２は互いに、一方の平行四辺形面２がすくい面とされたときに、他方の平行四辺形面２が後述するインサート取付座の底面に着座する着座面とされる。なお、この例のインサート本体１は平行四辺形状の多角形面を有するが、多角形面は長方形であっても良い。その場合には、一方の対角線の両端部を平行四辺形面２の鈍角コーナ部、他方の対角線の両端部を鋭角コーナ部と見なせばよい。
【００４０】
インサート本体１には、上記一対の平行四辺形面２の中心同士を結ぶインサート中心線Ｃを中心とした断面円形の取付孔５が形成され、この取付孔５は上記インサート中心線Ｃ方向（インサート本体１の厚さ方向）にインサート本体１を貫通している。取付孔５の中央部には、図１４や図１５に示すように、一段縮径する一定幅かつ突出量が一定の、環状をなす縮径部５Ａが形成されている。縮径部５Ａは、インサート中心線Ｃ方向中央部が幅狭のインサート中心線Ｃを中心とした円筒面状とされるとともに、その両側にはインサート中心線Ｃに沿った断面が凸曲線状をなす部分が形成されている。
【００４１】
インサート本体１は、インサート中心線Ｃ方向の中心でこのインサート中心線Ｃと直交して長側面３に略平行に延びる対称線（図示略）と、この対称線とインサート中心線Ｃとに直交して長側面３の中心を通る対称線Ｎとに関して、それぞれ１８０°回転対称形状に形成されている。すなわち、インサート本体１は、表裏反転対称形状とされている。また、インサート本体１は、上記中心線Ｃに関しても１８０°回転対称形状に形成されている。従って、図２に示すように一方の平行四辺形面２に対向する方向から見たときに、この一方の平行四辺形面２の鋭角コーナ部Ａ側の位置には他方の平行四辺形面２の鈍角コーナ部Ｂが位置し、また一方の平行四辺形面２の鈍角コーナ部Ｂ側の位置には他方の平行四辺形面２の鋭角コーナ部Ａが位置することになる。
【００４２】
上記一対の平行四辺形面２の辺稜部のうち一対の長側面３との交差稜線部、すなわち平行四辺形面２の長辺稜部には、それぞれ主切刃６Ａが形成されている。インサート中心線Ｃ方向に平行四辺形面２に対向する方向から見て、主切刃６Ａは略直線状とされている。また、一対の平行四辺形面２の辺稜部のうち一対の短側面４との交差稜線部、すなわち平行四辺形面２の短辺稜部の鋭角コーナ部Ａ側には、それぞれ副切刃６Ｂが形成されている。インサート中心線Ｃ方向に平行四辺形面２に対向する方向から見て、副切刃６Ｂは主切刃６Ａに対して僅かに鈍角に交差する方向に延びる直線状とされている。
【００４３】
さらに、長側面３と短側面４との交差稜線部は全長に亙って断面円弧状に面取りされており、平行四辺形面２の辺稜部のうち鋭角コーナ部Ａには、上記断面円弧状に面取りされた部分に、インサート中心線Ｃ方向に平行四辺形面２に対向する方向から見て略１／４円弧状をなすコーナ刃６Ｃが形成されている。コーナ刃６Ｃは、主切刃６Ａと副切刃６Ｂとに接するように連なっている。また、平行四辺形面２の鈍角コーナ部Ｂも円弧状に面取りされている。
【００４４】
主切刃６Ａは、長側面３に対向する側面視において図３に示すように、コーナ刃６Ｃ（鋭角コーナ部Ａ）から離間して鈍角コーナ部Ｂに向かうに従い上記インサート中心線Ｃ方向に漸次後退するように、すなわち主切刃６Ａが辺稜部に形成された平行四辺形面２とは反対側の平行四辺形面２側に向かうように、略一定の傾斜角で略直線状に傾斜させられている。従って、図３に示すように、長側面３も略平行四辺形状をなしてその長手方向（図３において上下方向）に向かうに従いインサート中心線Ｃ方向に傾斜するとともに、この長側面３に対向する側面視において、１つの平行四辺形面２に形成される一対の主切刃６Ａは、Ｘ字状に交差するように配設される。
【００４５】
また、副切刃６Ｂも、短側面４に対向する側面視において図４に示すように、コーナ刃６Ｃ（鋭角コーナ部Ａ）から離間するに従い上記インサート中心線Ｃ方向に漸次後退して反対側の平行四辺形面２側に向かうように、略一定の傾斜角で略直線状に傾斜させられている。さらに、コーナ刃６Ｃは側面視においては、上記１／４円弧を略二等分する位置にインサート中心線Ｃ方向の突端を有して主切刃６Ａと副切刃Ｂとに接するように連なる凸曲線状とされている。
【００４６】
なお、平行四辺形面２の辺稜部のうち短側面４との交差稜線部の副切刃６Ｂ以外の部分は、平行四辺形面２に対向する方向から見たときには図２に示すように、副切刃６Ｂと鈍角に交差するとともに平行四辺形面２の鈍角コーナ部Ｂに形成された円弧状の面取りに接する略直線状とされている。また、短側面４に対向する側面視では図４に示すように、副切刃６Ｂから離間するに従い、同側面視で副切刃６Ｂがなす上記傾斜角よりも急傾斜でインサート中心線Ｃ方向に直線状に漸次後退した後、凹曲線部を介してインサート中心線Ｃに略垂直な方向に延びて鈍角コーナ部Ｂに連なるようにされている。
【００４７】
また、一対の平行四辺形面２には、主切刃６Ａ、副切刃６Ｂ、およびコーナ刃６Ｃの内側に、内方に向かうに従いインサート中心線Ｃ方向に漸次後退するポジすくい面２Ａが形成されている。本実施形態では、このポジすくい面２Ａは平行四辺形面２の全周に亙って略一定の幅で形成されていて、副切刃６Ｂおよびコーナ刃６Ｃに直交する断面においては、インサート中心線Ｃに垂直な方向に対する傾斜角が略一定とされる。
【００４８】
一方、このポジすくい面２Ａは、主切刃６Ａに沿ってコーナ刃６Ｃ（鋭角コーナ部Ａ）から離間するに従っては、平行四辺形面２に対向する方向から見て該主切刃６Ａに直交してインサート中心線Ｃ方向に延びる断面においてインサート中心線Ｃに垂直な方向に対する傾斜角が漸次小さくなるようにされている。すなわち、このポジすくい面２Ａは、主切刃６Ａに対しては鋭角コーナ部Ａ側から鈍角コーナ部Ｂ側に向かうに従いすくい角が漸次小さくなるようにされた捩れ面状とされている。
【００４９】
さらに、一対の平行四辺形面２において、このポジすくい面２Ａと上記取付孔５の開口部との間には、一対の当接面７が形成されている。そして、これら一対の当接面７は、各平行四辺形面２において、それぞれ一対のインサート側仮想平面Ｐに沿って配設されており、これら一対のインサート側仮想平面Ｐは、上記一対の当接面７が形成された上記平行四辺形面２上に延びる、１つの平行四辺形面２に対して１つのインサート側仮想直線Ｌをそれぞれ含むとともに、このインサート側仮想直線Ｌに沿った方向から見て図３に示すように、該インサート側仮想直線Ｌを交点としてＸ字状に互いに交差する方向に配置されている。
【００５０】
すなわち、これら一対のインサート側仮想平面Ｐは、上記インサート側仮想直線Ｌを含む１つの平面をこのインサート側仮想直線Ｌに交差する分割線を有するようにして２つに分割し、こうして分割された２つの平面をインサート側仮想直線Ｌ回りに捩って、該インサート側仮想直線Ｌ方向視にＸ字状に交差するように角度をもたせた構成とされている。そして、一対の当接面７は、それぞれこれら一対のインサート側仮想平面Ｐ上に位置するように配設されている。
【００５１】
さらに、インサート本体１の上記長側面３と短側面４のうち、上記一対の当接面７が配設されたインサート側仮想平面Ｐの上記インサート側仮想直線Ｌが延びる二方向のうちの一の方向を向く、１つの平行四辺形面２に対して１つの側面には、後述するインサート取付座の１つの壁面に形成された被当接部に当接可能な当接部８が形成されている。本実施形態では、図３に示すように平行四辺形面２に対向する方向から見て、インサート側仮想直線Ｌは一対の長側面３間に亙って延びており、従って当接部８はこの長側面３に形成される。
【００５２】
また、本実施形態ではインサート本体１が上記インサート中心線Ｃに関して１８０°回転対称形状とされており、従って一対の平行四辺形面２上にそれぞれ延びる一対のインサート側仮想直線Ｌは、このインサート中心線Ｃに直交することになる。そして、このようにインサート中心線Ｃに関して１８０°回転対称形状に形成された本実施形態の切削インサートでは、上記インサート側仮想直線Ｌが延びる二方向のうちの他の方向を向く、１つの平行四辺形面２に対して他の１つの長側面３にも、インサート本体１をインサート中心線Ｃ回りに１８０°回転させたときに上記被当接部に当接可能な、他の当接部８が形成されている。
【００５３】
さらに、本実施形態の切削インサートにおいて、各平行四辺形面２のインサート側仮想直線Ｌは、インサート中心線Ｃに沿って該平行四辺形面２と対向する方向から見て、長側面３に直交する方向に延びている。従って、これらのインサート側仮想直線Ｌは、こうしてインサート中心線Ｃ方向に平行四辺形面２に対向する方向から見て図２に示すように、長側面３の中心を通る上記対称線Ｎと重なり合うことになる。
【００５４】
また、一対の当接面７が配設される上記一対のインサート側仮想平面Ｐはそれぞれ、各平行四辺形面２において、その長側面３との交差稜線部に形成された一対の主切刃６Ａに隣接するように配置されている。さらに、インサート側仮想直線Ｌ方向視において一対のインサート側仮想平面ＰがなすＸ字の傾斜の向きは、各インサート側仮想平面Ｐが隣接する側の主切刃６Ａが長側面３に対向する方向から見たときになすＸ字と同じ向きとされている。
【００５５】
さらにまた、本実施形態における一対の当接面７はそれぞれ、上記一対のインサート側仮想平面Ｐに沿って配置される互いに離間した複数（本実施形態では２つ）の当接面部７Ａ、７Ｂによって構成されている。ここで、これらの当接面部７Ａ、７Ｂは、上記ポジすくい面２Ａの略内縁と取付孔５の開口部との間において平行四辺形面２の各一対の鋭角コーナ部Ａ側と鈍角コーナ部Ｂ側とに配設されている。すなわち、一対のインサート側仮想平面Ｐのそれぞれにおいて、当接面部７Ａ、７Ｂはインサート側仮想直線Ｌを挟んでその両側に配設され、従って一対の当接面７もそれぞれインサート側仮想直線Ｌを跨いでその両側に延設される。
【００５６】
このうち、インサート側仮想直線Ｌ方向視に一対のインサート側仮想平面ＰがなすＸ字のインサート中心線Ｃ方向に突出する側に配置される第１の当接面部７Ａは、平行四辺形面２の鋭角コーナ部Ａ側に形成されて該鋭角コーナ部Ａにおけるポジすくい面２Ａの内縁に対し突出する第１の凸部９Ａ上に形成されている。この第１の凸部９Ａは、平行四辺形面２に対する方向から見て図２に示すように、副切刃６Ｂのコーナ刃６Ｃと反対側の端部の内方から取付孔５の開口部の手前に亙って、各第１の凸部９Ａが形成された側の鋭角コーナ部Ａに連なる主切刃６Ａと略平行に延びるように形成されている。
【００５７】
詳しくは、第１の凸部９Ａは、主切刃６Ａに略平行な方向の両端部は円錐台をその中心線に沿って半割とした形状とされるとともに、その間の部分はこの両端部に表面が滑らかに連なり、この第１の凸部９Ａが延びる方向に直交する断面が図１６や図１７に示すように略等脚台形状をなすように形成されている。そして、この第１の凸部９Ａのインサート中心線Ｃ方向の突端面部分が上記第１の当接面部７Ａとされて、この第１の当接面部７Ａは上記インサート側仮想平面Ｐに沿った平面状、または突端がインサート側仮想平面Ｐに沿うようにされた上記断面が曲率半径の大きな凸曲線をなす曲面状とされている。
【００５８】
また、上記Ｘ字においてインサート中心線Ｃ方向に後退する側に配置される第２の当接面部７Ｂも、平行四辺形面２の鈍角コーナ部Ｂ側において該鈍角コーナ部Ｂにおけるポジすくい面２Ａ内縁に対して突出する第２の凸部９Ｂ上に形成されている。ただし、この第２の凸部９Ｂの鈍角コーナ部Ｂにおけるポジすくい面２Ａ内縁に対する突出量は、上記第１の凸部９Ａの鋭角コーナ部Ａにおけるポジすくい面２Ａ内縁に対する突出量よりも小さくされている。
【００５９】
詳しくは、第２の凸部９Ｂは、平行四辺形面２に対向する方向から見て、この平行四辺形面２の一対の鈍角コーナ部Ｂを結ぶ対角線方向に向けて延び、第１の凸部９Ａが延びる方向に直交する断面が図１６や図１７に示すように第１の凸部９Ａよりもインサート中心線Ｃ方向に偏平した等脚台形状をなしていて、この第２の凸部９Ｂの平面状の突端面が第２の当接面部７Ｂとされている。また、この第２の当接面部７Ｂおよび第２の凸部９Ｂは、平行四辺形面２に対向する方向から見ても、上記対角線方向内側に向かうに従い漸次幅広となる台形状を呈している。
【００６０】
そして、これら第１、第２の凸部９Ａ、９Ｂ上に形成された第１、第２の当接面部７Ａ、７Ｂは、図１４ないし図１７に示すように、それぞれが隣接した側の主切刃６Ａに隣接する各１つのインサート側仮想平面Ｐ上に配置されて、各一対の当接面７を構成するようになされている。なお、取付孔５の開口部は、インサート中心線Ｃ方向において第１、第２の当接面部７Ａ、７Ｂの中間位置に形成されており、このうち第２の当接面部７Ｂと取付孔５開口部との間には、インサート中心線Ｃを中心とする外形略円錐面状のボス部２Ｂが形成されている。
【００６１】
ここで、図１４に示すようにこのインサート側仮想直線Ｌに沿った方向から見たときの一対のインサート側仮想平面Ｐの傾斜角θは、それぞれインサート中心線Ｃに直交する平面に対して互いに等しく、５°〜２５°の範囲とされている。なお、一対のインサート側仮想平面Ｐが隣接する側の主切刃６Ａのインサート側仮想直線Ｌに沿った方向から見たときのインサート中心線Ｃに直交する平面に対する傾斜角も５°〜２５°の範囲とされている。ただし、この主切刃６Ａの傾斜角は、インサート側仮想平面Ｐの傾斜角θと等しくても、等しくなくてもよく、本実施形態では僅かに異なる角度とされている。
【００６２】
一方、上述のように当接部８が形成されるインサート本体１の長側面３には主切刃６Ａの逃げ面（主逃げ面）が形成され、また短側面４には副切刃６Ｂの逃げ面（副逃げ面）が形成される。このうち、短側面４には、一対の平行四辺形面２同士で互いに一方の平行四辺形面２の副切刃６Ｂから他方の平行四辺形面２側に向けて順に、第１副逃げ面４Ａと、第２副逃げ面４Ｂと、ネガ面４Ｃとが形成されている。
【００６３】
第１副逃げ面４Ａは、一方の平行四辺形面２の副切刃６Ｂに連なり、他方の平行四辺形面２側に向かうに従い漸次インサート本体１の外側に僅かに突き出すように傾斜するとともに、第２副逃げ面４は、同じく他方の平行四辺形面２側に向かうに従い第１副逃げ面の傾斜よりも急傾斜で逆に漸次インサート本体１の内側に後退するように形成されていて、これら第１、第２副逃げ面４Ａ、４Ｂは長側面３に対向する方向から見て図３に示すように略凸曲面をなすようにされている。また、ネガ面４Ｃは、第２副逃げ面４Ｂからインサート中心線Ｃに略平行に延びて、他方の平行四辺形面２の副切刃６Ｂから延びる第１副逃げ面４Ａ、第２副逃げ面４Ｂ、およびネガ面４Ｃと交差させられ、この他方の平行四辺形面２の副切刃６Ｂのコーナ刃６Ｃとは反対側の端部から鈍角コーナ部Ｂの間に達するように形成されていて、平行四辺形面２に対向する方向から見て、副切刃６Ｂのコーナ刃６Ｃの反対側の端部に連なるネガ面４Ｃ同士が凹Ｖ字状をなすようにされている。
【００６４】
なお、図４に示すように短側面４に対向する方向から見た側面視において、第１副逃げ面４Ａと第２副逃げ面４Ｂとの交差稜線部は副切刃６Ｂに略平行に延びている一方、第２副逃げ面４Ｂと、この第２副逃げ面４Ｂから他方の平行四辺形面２側に向けて延びるネガ面４Ｃとの交差稜線部はインサート中心線Ｃに垂直な方向に延びている。また、同側面視において、第１副逃げ面４Ａとネガ面４Ｃとの交差稜線部は副切刃６Ｂのコーナ刃６Ｃと反対側の端部からインサート中心線Ｃに略平行に延びているとともに、ネガ面４Ｃ同士の交差稜線部は短側面４の中央部においてインサート中心線Ｃに沿って延びており、これらの交差稜線部を結ぶように、第２副逃げ面４Ｂと他方の平行四辺形面２側から延びるネガ面４Ｃとの交差稜線部はインサート中心線Ｃ方向中央部に向けて斜めに延びている。
【００６５】
さらに、長側面３には、一対の平行四辺形面２からそれぞれインサート中心線Ｃ方向の中央部に向けて順に、この長側面３と一対の平行四辺形面２との交差稜線部に形成された主切刃６Ａに連なる一対の上述した主逃げ面３Ａと、これらの主逃げ面３Ａに連なり、インサート中心線Ｃ方向中央部側に向けてインサート本体１の外側に向けて凸となる凸曲面状をなすように湾曲した一対の凸曲面部３Ｂと、これらの凸曲面部３Ｂに連なって長側面３のインサート中心線Ｃ方向中央部に位置し、インサート本体１の内側に凹む凹曲面状に湾曲した１つの凹曲面部３Ｃが形成されている。
【００６６】
そして、本実施形態における上記当接部８は、長側面３のうちでも上記凸曲面部３Ｂに形成されている。さらに、１つの長側面３に形成された一対の凸曲面部３Ｂのうちでも、一方の平行四辺形面２がすくい面とされて、その長辺稜部に形成された一対の主切刃６Ａのうち一方の主切刃６Ａが切削に使用されるときには、上記一方の平行四辺形面２においてこの一方の主切刃６Ａとは反対側の他方の主切刃６Ａに主逃げ面３Ａを介して連なる凸曲面部３Ｂに形成された当接部８が、後述する被当接部に当接させられる。
【００６７】
また、長側面３に対向する側面視において図３に示すように、主逃げ面３Ａは、該主逃げ面３Ａが連なる主切刃６Ａに沿ってこの主切刃６Ａの鋭角コーナ部Ａから鈍角コーナ部Ｂに向かうに従いインサート中心線Ｃ方向の幅が漸次小さくなるとともに、一対の凸曲面部３Ｂは各凸曲面部３Ｂが連なる側の鋭角コーナ部Ａから鈍角コーナ部Ｂに向かうに従いインサート中心線Ｃ方向の幅が僅かに漸次大きくなり、上記１つの凹曲面部３Ｃは中心線Ｃ方向の幅が略一定となるようにされている。
【００６８】
これら主逃げ面３Ａ、凸曲面部３Ｂ、および凹曲面部３Ｃは全体として、長側面３と同様に長側面３の長手方向に向かうに従いインサート中心線Ｃ方向に傾斜させられている。なお、凸曲面部３Ｂがなす湾曲の曲率半径と凹曲面部３Ｃがなす湾曲の曲率半径は長側面３の長手方向に向けてそれぞれ略一定とされ、すなわちこれら凸曲面部３Ｂと凹曲面部３Ｃとは凸凹の円筒面状に形成されている。
【００６９】
これに対して、主逃げ面３Ａは、平行四辺形面２に対向する方向から見て主切刃６Ａに直交してインサート中心線Ｃ方向に延びる断面においては、主切刃６Ａから離間するに従いインサート本体１の外側に向けて僅かに突出するように傾斜して形成され、ただしそのインサート中心線Ｃ方向に対する傾斜角が主切刃６Ａに沿ってコーナ刃６Ｃ（鋭角コーナ部Ａ）から離間するに従い漸次小さくなるようにされている。
【００７０】
すなわち、この主逃げ面３Ａは、このように平行四辺形面２に対向する方向から見て主切刃６Ａに直交してインサート中心線Ｃ方向に延びる断面において、インサート中心線Ｃ方向に垂直な平面となす角度が、主切刃６Ａに沿ってコーナ刃６Ｃ（鋭角コーナ部Ａ）から鈍角コーナ部Ｂ側に向かうに従い漸次小さくなるようにされて、主切刃６Ａに対する逃げ角が正角側に漸次大きくなるようにされた捩れ面状とされている。従って、凸曲面部３Ｂは、本実施形態ではインサート中心線Ｃ方向中央部に向けて主逃げ面３から一旦インサート本体１の外側に突出した後、内側に向かう凸曲面状とされる。
【００７１】
また、本実施形態の切削インサートでは、インサート中心線Ｃに沿って平行四辺形面２に対向する方向から見て図２や図２４に示すように、一対の平行四辺形面２がインサート中心線Ｃ回りに僅かに回転させられて捩られるように形成されており、これによって主切刃６Ａが一対の平行四辺形面２同士でずれて交差するようにされている。より詳しくは、図２４に示すように平行四辺形面２に対向する方向から見て、一対の平行四辺形面２同士で互いに、一方の平行四辺形面２の鋭角コーナ部Ａ側の主切刃６Ａから他方の平行四辺形面２の鈍角コーナ部Ｂがインサート本体１の外側に僅かにはみ出すように、主切刃６Ａが形成される長辺稜部が互いに交差させられている。
【００７２】
さらに、主逃げ面３Ａ自体は、図１８に示すように主切刃６Ａに連なる凸円弧状をなす第１主逃げ面３ａと、この第１主逃げ面３ａのインサート中心線Ｃ方向中央部側に連なる断面直線状の第２主逃げ面３ｂとから構成されている。本実施形態では、第１主逃げ面３ａのインサート中心線Ｃ方向の幅は略一定とされ、第２主逃げ面３ｂの幅が鋭角コーナ部Ａから鈍角コーナ部Ｂに向かうに従い漸次小さくなることにより、主逃げ面３Ａの上記幅が鋭角コーナ部Ａから鈍角コーナ部Ｂに向けて小さくされている。
【００７３】
なお、主逃げ面３Ａ自体は、上述のような捩れ面であれば、工具本体１１に取り付けた状態で次述する軸線Ｏに直交する断面において図２１に示すように主逃げ面３Ａ上のいずれの位置でも逃げ角βが一定となる、いわゆるエキセントリック（偏心）逃げ面であってもよく、あるいは図２２に示すように円板型砥石Ｇの外周面によって形成されるような凹曲線状をなす、いわゆるコンケーブ逃げ面であってもよく、さらには同図２２に示す直線状をなす直線二番面であってもよい。
【００７４】
図５ないし図８は、上記切削インサートを着脱可能に備えた本発明の一実施形態の刃先交換式切削工具を示しており、図９ないし図１２は、この刃先交換式切削工具から切削インサートを取り外した状態を示している。この刃先交換式切削工具は、刃先交換式の転削工具、特にエンドミルであり、工具本体１１を有する。工具本体１１は、鋼材等から形成され、軸線Ｏを中心とした多段円柱状をなし、このうち後端側部分（図５および図９において上側部分。図７、図８および図１０、図１１においては右部分）がシャンク部１１Ａとされ、先端部が切刃部１１Ｂとされている。
【００７５】
このような刃先交換式切削工具は、シャンク部１１Ａが工作機械の主軸に把持されて、工具本体１１が軸線Ｏ回りに工具回転方向Ｔに回転されつつ、上記軸線Ｏに交差する方向（通常は軸線Ｏに垂直な方向）に送り出されることにより、切刃部１１Ｂに取り付けられた上記切削インサートの切刃（主切刃６Ａ、副切刃６Ｂ、およびコーナ刃６Ｃ）によって被削材を切削してゆく。
【００７６】
切刃部１１Ｂの外周には、その先端面すなわち工具本体１１の先端面に開口して後端側に延びるチップポケット１２が、周方向に複数（本実施形態では２つ）等間隔に、すなわち軸線Ｏを挟んで互いに反対側に形成されている。さらに、これらのチップポケット１２の工具回転方向Ｔ側を向く壁面には、図９ないし図１２に示すように切刃部１１Ｂの先端面と外周面とに開口して上記切削インサートが取り付けられるインサート取付座１３が、上記壁面から工具回転方向Ｔの後方側に一段凹むように形成されている。
【００７７】
インサート取付座１３は、工具回転方向Ｔを向く底面１４と、工具本体１１の外周側を向く壁面１５と、工具本体１１の先端側を向く壁面１６とを有する。インサート本体１の一対の平行四辺形面２のうち、一方の平行四辺形面２がすくい面として工具回転方向Ｔに向けられたときに、他方の平行四辺形面２が着座面として底面１４に着座させられる。壁面１５は、上記底面１４の工具本体１１内周側の縁部から外周側に向けて立ち上がって、チップポケット１２の工具回転方向Ｔを向く上記壁面に連なる。壁面１６は、上記底面１４の工具本体１１後端側の縁部から工具回転方向Ｔ側に向けて立ち上がって、チップポケット１２の工具回転方向Ｔを向く壁面に連なる。
【００７８】
ただし、底面１４と壁面１５、１６との交差稜線部および壁面１５、１６同士の交差稜線部は、上記着座面とされた他方の平行四辺形面２のそれぞれ工具本体１１内周側に配置される主切刃６Ａと、工具本体１１後端側に配置される副切刃６Ｂと、後端内周側に配置されるコーナ刃６Ｃと、さらに上記主切刃６Ａに連なる長側面３の他方の平行四辺形面２側の主逃げ面３Ａ、凸曲面部３Ｂ、および凹曲面部３Ｃとの干渉を避けるため、凹溝状をなす逃げ部１７Ａによって切り欠かれている。
【００７９】
底面１４と切刃部１１Ｂの外周面および先端面との交差稜線部にも、同じく着座面とされた平行四辺形面２の工具本体１１外周側に配置される主切刃６Ａ、先端側に配置される副切刃６Ｂ、先端外周側に配置されるコーナ刃６Ｃ、および、その内側のポジすくい面２Ａ等との干渉を避けるために、面取り状の逃げ部１７Ｂが形成されている。
【００８０】
底面１４の中央部には、上述のようにインサート取付座１３にインサート本体１が着座させられた状態で、すくい面とされた一方の平行四辺形面２側から取付孔５に挿通されたクランプネジ１８がねじ込まれるネジ孔１４Ａが形成されている。図１０に示すように、ネジ孔１４Ａは、底面１４への開口部から孔底側（工具回転方向Ｔの後方側）に向かうに従い工具本体後端側に向かうように僅かに傾斜させられている。インサート本体１は、ネジ孔１４Ａにねじ込まれたクランプネジ１８の頭部裏面が取付孔５の上記縮径部５Ａを押圧することにより、インサート取付座１３に取り付けられる。底面１４のネジ孔１４Ａの周りにも、着座面とされる平行四辺形面２側のボス部２Ｂとの干渉を避けるための凹状の逃げ部１７Ｃが形成されている。
【００８１】
底面１４には、着座面とされた平行四辺形面２の上記一対の当接面７が当接可能とされた一対の被当接面１９が、図１４および図１５に示すようにそれぞれ一対の取付座側仮想平面Ｑに沿って形成されている。ここで、本実施形態では、上記一対の被当接面１９も、第１の実施形態の切削インサートにおける当接面７と同様に、図９および図１０あるいは図１４および図１５に示されるように、上記一対の取付座側仮想平面Ｑに沿って配置される互いに離間した複数（本実施形態では２つ）の被当接面部１９Ａ、１９Ｂによって構成されている。
【００８２】
また、上記一対の取付座側仮想平面Ｑも、一対のインサート側仮想平面Ｐと同様に、底面１４上に延びる１つの取付座側仮想直線Ｍをそれぞれ含むとともに、この取付座側仮想直線Ｍに沿って見たときにＸ字状に互いに交差する方向に配設されている。そして、こうして取付座仮想直線Ｍ方向視に見たときの一対の取付座側仮想平面Ｑの傾斜の向きおよび交差角は、インサート側仮想直線Ｌ方向視に見たときの着座面とされる平行四辺形面２の一対のインサート側仮想平面Ｐの傾斜の向きおよび交差角と等しくされていて、すなわち一対の取付座側仮想平面ＱがなすＸ字は一対のインサート側仮想平面ＰがなすＸ字と相補的なＸ字状とされている。
【００８３】
さらに、これら一対の取付座側仮想平面Ｑに含まれる１つの取付座側仮想直線Ｍは、ネジ孔１４Ａの中心線と直交し、底面１４に対向する方向から見て底面１４から立ち上がる壁面１５、１６のうち１つの壁面に交差するように延びている。本実施形態では、取付座側仮想直線Ｍは工具本体１１の外周側を向く壁面１５に交差させられていて、この壁面１５に、切削インサートの当接部８と当接させられる被当接部２０が形成される。
【００８４】
この被当接部２０は、底面１４の工具本体１１内周側の縁部から外周側に立ち上がる壁面１５の略中央部に、壁面１５に対向する方向から見て工具本体１１の先端側から後端側に向かうに従い外周側に向かうように傾斜して延びるとともに、工具本体１１の内周側から外周側に向かうに従い工具回転方向Ｔ側にも僅かに傾斜した平面状に形成されている。ここで、壁面１５に対向する方向から見たときのネジ孔１４Ａの中心線に対する被当接部２０の傾斜は、インサート本体１の長側面３に対向する方向から見たときのインサート中心線Ｃに対する当接部８（凸曲面部３Ｂ）の傾斜と向きが反対で、傾斜角が略等しいものとされている。なお、被当接部２０の中央部には切欠２０Ａが形成されている。
【００８５】
また、取付座側仮想直線Ｍは、ネジ孔１４Ａの中心線方向に底面１４に対向する方向から見て、工具本体１１の軸線Ｏに略直交する方向、あるいは工具本体１１の内周側に向かうに従い先端側に向かうように極僅かに傾斜して延びており、被当接部２０はこの取付座仮想直線Ｍに直交する方向に延びている。すなわち、この取付座側仮想直線Ｍがネジ孔１４Ａの中心線方向視に被当接部２０に対してなす交差角は、切削インサートのすくい面とされる平行四辺形面２側からインサート中心線Ｃ方向視に見たときの着座面とされる平行四辺形面２におけるインサート側仮想直線Ｌが、この着座面に対する当接部８が形成された凸曲面部３Ｂ（すくい面とされる平行四辺形面２側の凸曲面部３Ｂ）に対してなす交差角と等しくされる。
【００８６】
従って、上記一対の被当接面１９は、本実施形態では底面１４の工具本体１１外周側と内周側とに配設されることになる。このうち、外周側の被当接面１９は図１１および図１４に示すように工具本体１１後端側に向かうに従い僅かに工具回転方向Ｔの後方側に向かうように傾斜している一方、内周側の被当接面１９は図１１および図１５に示すように外周側の被当接面１９よりも大きな角度で工具本体１１後端側に向かうに従い工具回転方向Ｔの前方側（工具本体１１の外周側）に向かうように傾斜している。
【００８７】
また、一対の被当接面１９の各２つの被当接面部１９Ａ、１９Ｂは、底面１４においてネジ孔１４Ａの工具本体１１先端外周側と後端外周側および後端内周側と先端内周側に配設されている。すなわち、一対の取付座側仮想平面Ｑのそれぞれにおいて、被当接面部１９Ａ、１９Ｂは取付座側仮想直線Ｍを挟んでその両側に配設され、従って一対の被当接面１９もそれぞれ取付座側仮想直線Ｍを跨いでその両側に配設される。なお、一対の被当接面１９のそれぞれ工具本体１１先端側の被当接面部１９Ａ、１９Ｂ同士の間と、工具本体１１後端側の被当接面部１９Ａ、１９Ｂ同士の間には、図１６および図１７に示すようにインサート本体１の上記第１、第２の凸部９Ａ、９Ｂとの干渉を避けるための逃げ部１７Ｄが形成されている。
【００８８】
このように形成されたインサー取付座１３に、上記切削インサートは上述のように、そのインサート本体１の一方の平行四辺形面２をすくい面として工具回転方向Ｔに向けるとともに、一方の長側面３を工具本体１１外周側に、一方の短側面４を工具本体１１先端側に向け、他方の平行四辺形面２が底面１４に着座させられる。このとき、本実施形態では、合計４つの上記被当接面部１９Ａ、１９Ｂに他方の平行四辺形面２の合計４つの当接面部７Ａ、７Ｂがそれぞれ当接され、すなわち一対の当接面８が一対の被当接面１９に、互いのインサート側仮想平面Ｐおよびインサート側仮想直線Ｌを取付座側仮想平面Ｑおよび取付座側仮想直線Ｍと一致させるようにして当接させられる。
【００８９】
この状態で、インサート本体１は、インサート中心線Ｃがネジ孔１４Ａの中心線と平行とされ、互いに一致させられた取付座側仮想直線Ｍおよび他方の平行四辺形面２におけるインサート側仮想直線Ｌに沿った方向への移動のみが許容され、それ以外の方向には拘束される。そこで、こうしてインサート本体１を着座させたまま、この他方の平行四辺形面２におけるインサート側仮想直線Ｌに沿って、上記一方の長側面３とは反対の他方の長側面３側に向けて、すなわち工具本体１１の内周側に向けて、インサート本体１を移動させると、図１６および図１７に示すように壁面１５の被当接部２０に他方の長側面３の一方の平行四辺形面２側の当接部８が当接してインサート本体１が位置決めされる。
【００９０】
すなわち、（１）この他方の長側面３の一方の平行四辺形面２側の当接部８と他方の平行四辺形面２のインサート側仮想直線Ｌとがインサート中心線Ｃ方向視になす交差角と、インサート取付座１３の壁面１５に形成された被当接部２０と取付座側仮想直線Ｍとがネジ孔１４Ａの中心線方向視になす交差角が、互いに等しくされている。（２）当接部８が形成される凸曲面部３Ｂは長側面３の長手方向に亙って断面が略一定の曲率半径の凸曲線をなす凸曲面とされ、被当接部２０は工具本体１１の外周側に向かうに従い工具回転方向Ｔ側に僅かに傾いた傾斜平面状とされている。上記（１）、（２）の理由により、図１６および図１７に示すように傾斜平面状の被当接部２０に凸曲面状の当接部８が切欠２０Ａを除いて長側面３の全長に亙って当接し、インサート本体１が安定して位置決めされる。
【００９１】
さらに、こうして位置決めされた状態で、インサート本体１の取付孔５の中心線であるインサート中心線Ｃは、ネジ孔１４Ａの中心線に対して、僅かに工具本体１１の外周側に偏心させられている。従って、クランプネジ１８を取付孔５から挿入してネジ孔１４Ａにねじ込むと、クランプネジ１８の頭部裏面によって、取付孔５の縮径部５Ａのうち工具本体１１の内周側に位置する部分が押圧される。これにより、インサート本体１は、クランプネジ１８により、底面１４に押し付けられるとともに、他方の長側面３における一方の平行四辺形面２側の凸曲面部３Ｂに形成された当接部８が壁面１５の被当接部２０にも押し付けられるようにして、インサート取付座１３に着脱可能に固定される。
【００９２】
このようにインサート取付座１３に固定された状態で、すくい面とされる一方の平行四辺形面２の工具本体１１外周側に向けられた切削に使用される主切刃６Ａは、工具本体１１の軸線Ｏを中心とする円筒面上に略位置させられ、あるいは極小さなバックテーパが与えられ、正の軸方向すくい角と、ポジすくい面２Ａによって望ましくは正または０°の径方向すくい角とが与えられる。また、この主切刃６Ａに連なる主逃げ面３Ａにも正または０°の逃げ角が与えられる。なお、この主切刃６Ａの裏側の、着座面とされる他方の平行四辺形面２の工具本体１１外周側に向けられた主切刃６Ａは、上記切削に使用される主切刃６Ａの軸線Ｏ回りの回転軌跡である上記円筒面の内側に配置されて被削材の加工面と干渉することがないようにされ、切削には使用されない。
【００９３】
一方、上記切削に使用される主切刃６Ａにコーナ刃６Ｃを介して連なる、切削に使用される副切刃６Ｂは軸線Ｏに垂直な平面上に略位置させられ、略０°の径方向すくい角と、ポジすくい面２Ａによって正の軸方向すくい角が与えられ、さらに第１、第２副逃げ面４Ａ、４Ｂにも正の逃げ角が与えられる。なお、着座面とされる他方の平行四辺形面２の工具本体１１先端側に向けられる副切刃６Ｂは、切削に使用される副切刃６Ｂが位置する上記軸線Ｏに垂直な平面よりも工具本体１１後端側に位置して、やはり切削に使用されることはない。
【００９４】
第１の実施形態の切削インサート、およびこれを取り付けた一実施形態の刃先交換式切削工具においては、上述のようにインサート本体１がインサート取付座１３の底面１４に形成された一対の被当接面１９と、工具本体１１の外周側を向く壁面１５に形成された被当接部２０とによって拘束されて固定され、工具本体１１の先端側を向くインサート取付座１３の壁面１６はこの切削インサートの取り付けに関与することがない。すなわち、１つの平行四辺形面２に対してインサート側仮想直線Ｌが延びる方向のうち一方向については、本実施形態では１つの長側面３の１つのみの当接部８が、インサート取付座１３の１つの壁面１５の１つの被当接部２０に当接させられる。
【００９５】
このため、図９ないし図１１に示したように、インサート取付座１３の工具本体１１後端側に大きなチップポケット１２を形成することにより、壁面１６が小さくなったり、図１４に示すように工具本体１１後端側に向けられた他方の短側面４と壁面１６との間に間隔が空いたり、場合によっては壁面１６自体が形成されなかったりしても、切削インサートの取り付けに支障が生じることはない。従って、大きなチップポケット１２を形成しても安定して切削インサートを保持することができ、大きなチップポケット１２によって切屑排出性の向上を図ることができる。
【００９６】
また、図５ないし図１２に示した実施形態の刃先交換式切削工具では、工具本体１１先端部の切刃部１１Ｂに軸線Ｏ方向においては１つのインサート取付座１３しか形成されていない。しかし、本発明はこれに限定されず、インサート取付座１３の後端側に、１または複数のインサート取付座１３を形成して、工具の多刃化を図ることもできる。このような場合でも、上記切削インサートおよび刃先交換式切削工具によれば、上述のようにインサート取付座１３の後端側に壁面１６を形成する必要が無いことから、軸線Ｏ方向に隣接するインサート取付座１３を近接して形成することができる。
【００９７】
例えば、軸線Ｏ方向後端側に隣接するインサート取付座１３をインサート本体１の厚さ分程度、工具回転方向Ｔの後方側にずらして形成することにより、１列のインサート取付座１３に取り付けられた切削インサートによって、主切刃６Ａの回転軌跡が連続した切刃列を形成することも可能となる。このため、このような切刃列を１つの工具本体１１により多く設けることが可能となって、切削効率の向上を図ることができる。
【００９８】
また、本実施形態の切削インサートは、そのインサート本体１が表裏反転対称形状とされていて、１つの主切刃６Ａや副切刃６Ｂ、コーナ刃６Ｃに摩耗が生じたりしたときはインサート本体１を反転させてインサート取付座１３に取り付け直すことにより、すくい面とされていた一方の平行四辺形面２を着座面とするとともに着座面とされていた他方の平行四辺形面２をすくい面として、この他方の平行四辺形面２の辺稜部に形成された主切刃６Ａや副切刃６Ｂ、コーナ刃６Ｃを使用することができる。
【００９９】
このとき、新たな着座面とされた平行四辺形面２に対しては、工具本体１１内周側に位置させられた新たな長側面３の新たにすくい面とされた平行四辺形面２側の凸曲面部３Ｂに当接部８が形成されて、インサート取付座１３の壁面１５の被当接部２０に当接させられる。すなわち、こうしてインサート本体１を反転させることにより、反対側の長側面３の当接部８をインサート取付座１３の壁面１５の被当接部２０に当接させることが可能である。
【０１００】
本実施形態では、インサート本体１がインサート中心線Ｃに関しても１８０°回転対称に形成されており、このインサート中心線Ｃ回りに１８０°回転させることにより、１つの平行四辺形面２をすくい面としたまま、その一対の長短側面３、４との交差稜線部と鋭角コーナ部Ａに形成された各一対の主切刃６Ａ、副切刃６Ｂ、およびコーナ刃６Ｃをそれぞれ使用することができる。すなわち、本実施形態の切削インサートでは合計４回の主切刃６Ａ、副切刃６Ｂ、およびコーナ刃６Ｃの使い回しが可能となる。
【０１０１】
このとき、着座面とされた１つの他方の平行四辺形面２に対しては、インサート側仮想直線Ｌが延びる方向のうち、先とは逆側の長側面３の当接部８がインサート取付座１３の壁面１５の被当接部２０に当接可能とされる。こうしてインサート本体１をインサート中心線Ｃ回りに１８０°回転させてインサート取付座１３に取り付けたときと、インサート本体１を表裏反転させて取り付けたときでは、同一の長側面３の一対の凸曲面部３Ｂに形成された当接部８がそれぞれ被当接部２０に当接させられる。
【０１０２】
すなわち、表裏一対の平行四辺形面２のうち、一方の平行四辺形面２におけるインサート側仮想直線Ｌ方向のうちの一方向を向く１つの長側面３と、１つの他方の平行四辺形面２に対してのインサート側仮想直線Ｌ方向のうち他の方向を向く１つの長側面３とが、同一の長側面３とされ、この長側面３の一対の凸曲面部３Ｂに当接部８がそれぞれ形成されることになる。
【０１０３】
なお、第１の実施形態の切削インサートでは、このように平行四辺形面２に対向する方向から見てインサート側仮想直線Ｌがインサート本体１の長側面３に交差するようにされて、この長側面３に当接部８が形成されるとともに、一実施形態の刃先交換式切削工具では、インサート取付座１３の工具本体１１外周側を向く壁面１５に取付座側仮想直線Ｍが交差させられて被当接部２０が形成されているが、インサート側仮想直線Ｌをインサート本体１の短側面４に交差させてこの短側面４に当接部８を形成するとともに、インサート取付座１３においても取付座側仮想直線Ｍを工具本体１１先端側を向く壁面１６に交差させて、この壁面１６に被当接部２０を形成するようにしてもよい。
【０１０４】
この場合には、インサート取付座１３における工具本体１１外周側を向く壁面１５が切削インサートの取り付けに関与しないようにすることができ、この壁面１５を小さくしたり、壁面１５の内周側の工具本体１１の肉厚を小さくしたり、壁面１５と長側面３との間に間隔をあけたり、場合によっては壁面１５そのものを不要としたりすることができる。このため、チップポケット１２の容量をインサート取付座１３の内周側に大きく確保して切屑排出性の向上を図ったり、極小径の刃先交換式切削工具であっても周方向に多数のインサート取付座１３を設けて、より多くの切削インサートを取り付けることにより切削効率を高めたりすることができる。
【０１０５】
ただし、特に上記実施形態であるエンドミルのような刃先交換式切削工具では、工具本体１１の外周側に向けられる主切刃６Ａから工具本体１１内周側に作用する切削負荷の方が、工具本体１１先端側に向けられた副切刃６Ｂから工具本体１１後端側に作用する切削負荷よりも大きくなるので、この大きな切削負荷を、当接面積を大きく確保することができるインサート本体１の長側面３とインサート取付座１３の工具本体１１外周側を向く壁面１５に形成された当接部８と被当接部２０で受けるようにするのが、切削インサートの取付安定性を維持する上で望ましい。
【０１０６】
また、第１の実施形態の切削インサートでは、一対の当接面７が、インサート側仮想直線Ｌに沿って見たときにＸ字状に交差する一対のインサート側仮想平面Ｐ上に形成されていて、それぞれこのインサート側仮想直線Ｌを跨いでその両側に配設されるとともに、実施形態の刃先交換式切削工具でも、インサート取付座１３の一対の被当接面１９が、取付座側仮想直線Ｍに沿って見たときにインサート側仮想平面Ｐと相補的なＸ字状に交差する一対の取付座側仮想平面Ｑ上に形成されて、やはり取付座側仮想直線Ｍを跨いでその両側に配設されている。
【０１０７】
このため、インサート側仮想直線Ｌと取付座側仮想直線Ｍの両側で当接面７と被当接面１９とを当接させてこれらインサート側仮想直線Ｌと取付座側仮想直線Ｍを高精度に一致させることができ、これに伴いインサート本体１のインサート取付座１３への取付精度の向上を図って、引いては高精度の切削加工を促すことができる。また、こうしてＸ字状に配設された一対の当接面７がインサート側仮想直線Ｌの両側で一対の被当接面１９により支持されるので、インサート本体１の取付安定性の向上も図ることができる。
【０１０８】
さらに、本実施形態の切削インサートでは、インサート取付座１３の壁面１５に形成された被当接部２０が上述のような傾斜平面状であるのに対して、インサート本体１の当接部２０は長側面３の長手方向に延びる断面が略一定の曲率半径とされた凸曲面部３Ｂに形成されている。このため、例えばインサート本体１がその製造誤差などによって長側面３に略平行に延びる上記対称線回りに僅かに傾いて取り付けられても、この傾きは凸曲面部３Ｂの湾曲に沿ったものとなるので、当接部８を被当接部２０に確実に当接させることができる。
【０１０９】
また、本実施形態では、主切刃６Ａに連なるポジすくい面２Ａが鋭角コーナ部Ａ側から鈍角コーナ部Ｂ側に向かうに従いすくい角が漸次小さくなるようにされた捩れ面状とされるとともに、主逃げ面３Ａは鋭角コーナ部Ａから離間して鈍角コーナ部Ｂ側に向かうに従い逃げ角が正角側に漸次大きくなるようにされた捩れ面状とされている。従って、上述のように主切刃６Ａに正の軸方向すくい角を与えてインサート本体１を取り付けたときには、図１９および図２０に示すように主切刃６Ａの径方向すくい角αと逃げ角βを主切刃６Ａの全長に亙って略一定とするとともに主切刃６Ａの刃物角も略一定とすることが可能となり、部分的に切削抵抗が増大したり刃先強度が低下したりして主切刃６Ａが損傷したりするのを防ぐことができる。
【０１１０】
ところで、このように主逃げ面３Ａが捩れ面状に形成されている場合において、平行四辺形面２に対向する方向から見て略直線状をなす主切刃６Ａが例えば図２６に示すように一対の平行四辺形面２同士で重なり合っていると、主切刃６Ａの鋭角コーナ部Ａ側から鈍角コーナ部Ｂ側に向けて主逃げ面３Ａの逃げ角が正角側に漸次大きくなるのに伴い、主逃げ面３Ａのインサート中心線Ｃ方向内側でのインサート本体１の外側に向けた突出量は漸次小さくなるため、図２７に示すように一方の平行四辺形面２の鋭角コーナ部Ａ側の主切刃６Ａの主逃げ面３Ａに連なる凸曲面部３Ｂと、他方の平行四辺形面２の鈍角コーナ部Ｂ側の主切刃６Ａの主逃げ面３Ａに連なる凸曲面部３Ｂとをそのまま延長すると、長側面３の長手方向においてこれらの凸曲面部３Ｂが交差する位置がインサート中心線Ｃ方向にずれてしまう。
【０１１１】
そして、このような場合には、鈍角コーナ部Ｂ側の主切刃６Ａの主逃げ面３Ａに連なる凸曲面部３Ｂが小さくなったり、場合によっては主切刃６Ａの鈍角コーナ部Ｂ側に凸曲面部３Ｂを形成すること自体ができなくなったりしてしまう。従って、これに伴いこの凸曲面部３Ｂに形成されるべき当接部８も小さくなったり、鈍角コーナ部Ｂに当接部８を設けることができなくなったりするために被当接部２０への当接面積も小さくなって、インサート本体１を安定してインサート取付座１３に取り付けることが困難となるおそれが生じる。
【０１１２】
その一方で、無理に凸曲面部３Ｂの幅を確保しつつ捩れ面状の主逃げ面３Ａと一対の平行四辺形面２との交差稜線部に主切刃６Ａを形成しようとすると、一方の平行四辺形面２側の主切刃６Ａを基準としたときに、他方の平行四辺形面２側の主切刃６Ａを平行四辺形面２に対向する方向から見て一方の平行四辺形面２側の主切刃６Ａと互いに重なり合うように形成することが困難となるおそれがある。また、凸曲面部３Ｂがなす湾曲の曲率半径を長側面３の長手方向に向けて変化させたり、場合によっては凸曲面部３Ｂ自体や被当接部２０も捩れ面状に形成したりしなければならなくなって、インサート本体１の当接部８やインサート取付座１３の被当接部２０の形状の複雑化を招くおそれもある。
【０１１３】
そこで、本実施形態の切削インサートでは、このような問題を解決するために、図２や図２４に示したように一対の平行四辺形面２をインサート中心線Ｃ回りに僅かに回転させて捩るように形成しており、これによって平行四辺形面２に対向する方向から見て主切刃６Ａが一対の平行四辺形面２同士でずれるようにしている。すなわち、図２４に示すように平行四辺形面２に対向する方向から見て、一対の平行四辺形面２同士で互いに、一方の平行四辺形面２の鋭角コーナ部Ａ側の主切刃６Ａから他方の平行四辺形面２の鈍角コーナ部Ｂがインサート本体１の外側に僅かにはみ出すように、主切刃６Ａが形成される長辺稜部が交差させられている。
【０１１４】
言い換えれば、本実施形態の切削インサートは、刃先交換式切削工具のインサート取付座に着脱可能に取り付けられる切削インサートであって、以下のいずれかの構成を備えるものである。
（Ａ）刃先交換式切削工具のインサート取付座に着脱可能に取り付けられる切削インサートであって、
一対の多角形面と、その周囲に配置される複数の側面とを有する多角形板状のインサート本体を備え、
上記一対の多角形面は互いに、一方の多角形面がすくい面とされたときに他方の多角形面が上記インサート取付座の底面に着座する着座面とされ、
少なくとも１つの上記側面の上記一対の多角形面と交差する一対の辺稜部には切刃がそれぞれ形成され、
上記インサート本体は、上記少なくとも１つの側面の中心を通る対称線に関して１８０°回転対称である形状を有し、
上記少なくとも１つの側面には、上記一対の多角形面がすくい面とされたときの上記切刃の逃げ面が上記一対の多角形面側にそれぞれ形成され、
これらの逃げ面は、上記切刃が形成された辺稜部において、上記一対の多角形面の周回り方向に互い違いの一方のコーナ部から他方のコーナ部に向かうに従い、上記切刃に対する逃げ角が正角側に漸次大きくなる捩れ面状に形成されるとともに、
上記切刃が形成された上記一対の辺稜部は、上記多角形面に対向する方向から見て、一方の辺稜部の上記他方のコーナ部が他方の辺稜部の外側にはみ出すように互いに交差させられている。
【０１１５】
（Ｂ）上記（Ａ）において、上記インサート本体の上記多角形面はいずれも四角形状をなし、
上記インサート本体は、互いに反対側に配置される一対の長側面と、互いに反対側に配置される一対の短側面を有し、
上記一対の長側面の上記一対の多角形面と交差する上記辺稜部に主切刃がそれぞれ形成され、
この主切刃の逃げ面が捩れ面状に形成されるとともに、上記主切刃が形成された上記辺稜部が上記一対の多角形面に対向する方向から見て互いに交差させられている。
【０１１６】
（Ｃ）上記（Ｂ）において、上記主切刃は、上記長側面に対向する方向から見て、上記多角形面の上記一方のコーナ部から上記他方のコーナ部に向かうに従い、上記一対の多角形面の中心を通るインサート中心線方向に漸次反対側の多角形面側に向かうように傾斜している。
【０１１７】
（Ｄ）上記（Ｂ）または（Ｃ）において、上記インサート本体の上記多角形面は、一対の鈍角コーナ部と一対の鋭角コーナ部を有する平行四辺形状をなし、
上記各多角形面の上記鋭角コーナ部に、上記主切刃に連なるコーナ刃がそれぞれ形成され、
上記各多角形面の上記各短側面と交差する上記辺稜部の上記鋭角コーナ部側には、上記コーナ刃に連なる副切刃がそれぞれ形成され、
上記逃げ面は、上記鋭角コーナ部から上記鈍角コーナ部に向かうに従い、上記主切刃に対する逃げ角が正角側に漸次大きくなる捩れ面状に形成されるとともに、
上記主切刃が形成された上記一対の辺稜部は、上記一対の多角形面に対向する方向から見て、一方の辺稜部の上記鈍角コーナ部が他方の辺稜部の外側にはみ出すように互いに交差させられている。
【０１１８】
（Ｅ）上記（Ｄ）において、上記主切刃は、上記長側面に対向する方向から見て、平行四辺形状をなす上記多角形面の上記鋭角コーナ部から上記鈍角コーナ部に向かうに従い、上記一対の多角形面の中心を通るインサート中心線方向に漸次反対側の多角形面側に向かうように傾斜している。
【０１１９】
（Ｆ）上記（Ａ）〜（Ｅ）のいずれか１つにおいて、上記インサート本体は、上記一対の多角形面の中心を通るインサート中心線に関して１８０°回転対称である形状を有して、上記切刃が形成された少なくとも一対の上記側面を備え、
これら一対の側面には互いに、一方の側面の上記切刃が切削に使用されるときに、上記インサート取付座の壁面に形成された被当接部に当接する当接部が他方の側面に形成されている。
【０１２０】
また、上記実施形態の刃先交換式切削工具は、以下の構成を備えている。
（Ｇ）刃先交換式切削工具であって、
軸線回りに回転される工具本体と、
上記工具本体の先端部外周に、着脱可能に取り付けられた、上記（Ａ）〜（Ｆ）のうちいずれか１つの切削インサートとを具備し、
上記工具本体には、上記切削インサートが取り付けられる１または２以上の上記インサート取付座が、上記底面を工具回転方向に向けて形成され、
上記切削インサートは、上記少なくとも１の側面を上記工具本体の外周側に向けるとともに、この側面のすくい面とされた上記多角形面と交差する辺稜部の上記一方のコーナ部を上記工具本体の先端側に向け、この辺稜部に形成された上記切刃に正の軸方向すくい角が与えられるとともに、この切刃の上記軸線回りの回転軌跡の内側に、上記側面の着座面とされる上記多角形面と交差する辺稜部が位置するように、上記インサート取付座に取り付けられている。
【０１２１】
（Ｈ）上記（Ｇ）において、上記切刃は、上記少なくとも１の側面に対向する方向から見て、上記多角形面の上記一方のコーナ部から上記他方のコーナ部に向かうに従い、上記一対の多角形面の中心を通るインサート中心線方向に漸次反対側の多角形面側に向かうように傾斜しており、
上記切削インサートは、上記インサート中心線が着座面とされる上記多角形面側に向かうに従い上記工具本体の後端側に向けて傾斜するように、上記インサート取付座に取り付けられている。
【０１２２】
従って、このように構成された本実施形態の切削インサートでは、鋭角コーナ部Ａ側から鈍角コーナ部Ｂ側に向けて捩れ面状とされた主逃げ面３Ａのインサート中心線Ｃ方向中央部側でのインサート本体１の外側に向けた突出量が漸次小さくなるのに対し、この鈍角コーナ部Ｂ側では主切刃６Ａ自体が反対側の平行四辺形面２の鋭角コーナ部Ａ側の主切刃６Ａに対してインサート本体１の外側に僅かにはみ出すようにされているので、互いの凸曲面部３Ｂとの交差稜線のインサート本体１の外側への突出位置を略等しくすることができる。
【０１２３】
このため、本実施形態の切削インサートによれば、上述のように凸曲面部３Ｂがなす湾曲の曲率半径が長側面３の長手方向に亙って略一定であっても、鈍角コーナ部Ｂ側でこの凸曲面部３Ｂの幅が小さくなりすぎたり、凸曲面部３Ｂを設けることができなくなったりするのを防いで、当接部８と被当接部２０との当接面積を確保し、インサート取付座１３への安定した取付を図ることができる。また、インサート本体１の当接部８やインサート取付座１３の被当接部２０の形状の複雑化を招くこともない。
【０１２４】
さらに、本実施形態では、こうして一対の平行四辺形面２がインサート中心線Ｃ回りに捩られているのに対して、コーナ刃６Ｃを介して連なる主切刃６Ａと副切刃６Ｂとは平行四辺形面２に対向する方向から見て鈍角に交差する方向に配置されているので、着座面とされた他方の平行四辺形面２の工具本体１１先端側に向けられる副切刃６Ｂは、すくい面とされる一方の平行四辺形面２の工具本体１１先端側に向けられて切削に使用される副切刃６Ｂが位置する上記軸線Ｏに垂直な平面に対し、工具本体１１の内周側に向かうに従い後端側に向かうように傾斜して後退させることができる。従って、この他方の平行四辺形面２の副切刃６Ｂが一方の平行四辺形面２の副切刃６Ｂによって形成された仕上げ面に干渉するのを確実に防止することができ、これにより仕上げ面精度の向上を図るとともに、例えば工具本体１１を軸線Ｏ方向にも送り出して被削材を斜めに掘り下げるランピング加工を行うことも可能となる。
【０１２５】
加えて、本実施形態では主切刃６Ａが鋭角コーナ部Ａから鈍角コーナ部Ｂに向かうに従いインサート中心線Ｃ方向に後退するように傾斜して形成されており、インサート取付座１３の底面１４に形成されたネジ孔１４Ａが上述のように孔底側（工具回転方向Ｔの後方側）に向かうに従い工具本体１１の後端側に向かうように僅かに傾斜させられていて、これに伴いインサート中心線Ｃも着座面とされる平行四辺形面２側に向けて工具本体１１の後端側に向かうようにインサート本体１が取り付けられていても、切削に使用される主切刃６Ａには正の軸方向すくい角を与えることができる。そして、こうしてインサート本体１が傾斜して取り付けられることによっても、着座面とされた平行四辺形面２の工具本体１１先端側の副切刃６Ｂを、切削に使用される副切刃６Ｂが位置する上記平面に対して後退させることができるので、仕上げ面への干渉をより確実に防ぐとともにランピング加工を円滑に行うことが可能となる。
【０１２６】
なお、図２４に示すように、こうしてインサート中心線Ｃ回りに回転させて捩られるようにずらされる一対の平行四辺形面２同士のずれ角γは、１°〜１０°程度とされるのが望ましい。このずれ角γが１°より小さいと上記効果が奏功されないおそれがある一方、１０°より大きいと、着座面とされた他方の平行四辺形面２の工具本体１１外周側に位置する鈍角コーナ部Ｂが、すくい面とされた一方の平行四辺形面２の主切刃６Ａにより形成される被削材の加工面と干渉するおそれが生じる。
【０１２７】
さらに、このように一対の平行四辺形面２が捩られて、平行四辺形面２に対向する方向から見たときに、主切刃６Ａが形成された長側面３の一対の辺稜部が、一方の辺稜部の鈍角コーナ部Ｂが他方の辺稜部の外側にはみ出すように互いに交差させられている場合に、上記インサート側仮想直線Ｌは厳密には、同じく平行四辺形面２に対向する方向から見たときに上記対称線Ｎに垂直で一対の辺稜部の鈍角コーナ部Ｂに外接する仮想長側面に直交することになる。ただし、本実施形態では、こうして平行四辺形面２に対向する方向から見たときに、インサート側仮想直線Ｌが長側面３または上記仮想長側面に直交する方向に延びていて上記対称線Ｎと重なり合うようにされているが、上記対称線Ｎに対して±１０°程度の範囲内であれば傾斜していてもよい。
【０１２８】
また、図１８に示すように工具本体１１の軸線Ｏに直交する断面において、主切刃６Ａの径方向すくい角αは０°〜２０°の範囲とされるのが望ましい。さらに、この図１８に示したように、主逃げ面３Ａを工具本体１１の軸線Ｏに直交する断面において主切刃６Ａに連なる凸円弧状をなす第１主逃げ面３ａと、この第１主逃げ面３ａのインサート中心線Ｃ方向中央部側に連なる断面直線状の第２主逃げ面３ｂとから構成した場合には、主切刃６Ａの位置で上記凸円弧に接する接線がなす第１主逃げ面３ａの逃げ角β１は０°〜１５°の範囲、第２主逃げ面３ｂの逃げ角β２はβ１〜β１＋２０°の範囲、第１主逃げ面３ａの半径Ｒは主切刃６Ａの外径（直径）Ｄに対してＤ／２〜２×Ｄの範囲、第１主逃げ面３ａの幅Ｗは０．０３×Ｄ〜０．１５×Ｄの範囲とされるのが望ましい。
【０１２９】
さらに、第１の実施形態の切削インサートでは、各当接面７が、上記インサート側仮想平面Ｐに沿って互いに離間した複数の当接面部７Ａ、７Ｂによって構成されている。このため、例えばインサート本体１の寸法が小さくて一対の平行四辺形面２の面積も限られている場合に、本実施形態のようにインサート本体１をインサート取付座１３に固定するための取付孔５が平行四辺形面２に開口しているようなときでも、一対の当接面７（当接面部７Ａ、７Ｂ）をそれぞれ確実にインサート側仮想直線Ｌの両側に配置することができ、上述したインサート本体１の取付精度や取付安定性の一層の向上を図ることができる。
【０１３０】
ただし、インサート本体１の寸法が大きくて平行四辺形面２にも大きな面積を確保することができる場合などには、図２８ないし図３１に示す本発明の第２の実施形態の切削インサートのように、一対の当接面７がそれぞれ一対のインサート側仮想平面Ｐに沿って連続して形成されていてもよい。なお、この第２の実施形態において、第１の実施形態と共通する要素には同一の符号を配して説明を省略する。
【０１３１】
この第２の実施形態の切削インサートでは、インサート本体１の一対の平行四辺形面２においてポジすくい面２Ａの内側に、それぞれ連続する一対の当接面７が、平行四辺形面２に対向する方向から見てその一対の長辺稜部に形成された主切刃６Ａに沿うように形成されている。これらの当接面７も、第１の実施形態と同じく、隣接する主切刃６Ａの傾斜に合わせて平行四辺形面２の鋭角コーナ部Ａから鈍角コーナ部Ｂに向かうに従いインサート中心線Ｃ方向に漸次後退するようにされている。
【０１３２】
なお、互いの当接面７同士でインサート中心線Ｃ方向に突出した部分と後退した部分との間には、段差面７Ｃが形成されている。また、当接面７がインサート中心線Ｃ方向に突出した鋭角コーナ部Ａ側の部分ではポジすくい面２Ａとの間にも段差面７Ｄが形成されている。一方、当接面７がインサート中心線Ｃ方向に後退した側では、第１の実施形態と同様に取付孔５の開口部との間にボス部２Ｂが形成されている。さらに、この第２の実施形態では、副切刃６Ｂからインサート中心線Ｃ方向内側に向かうに従い凸曲面をなしつつ後退する第１副逃げ面４Ａだけが形成されてネガ面４Ｃに交差させられている。
【０１３３】
このような第２の実施形態の切削インサートも、上記一実施形態の刃先交換式切削工具の工具本体１１に形成されたインサート取付座１３に取り付けることができる。この場合には、インサート取付座１３の一対の被当接面１９が互いに離間した複数の被当接面部１９Ａ、１９Ｂにより構成されているため、当接面７への当接も互いに離間した複数箇所となる。
【０１３４】
ただし、インサート取付座１３の底面１４の面積も大きく確保できる場合には、一対の被当接面１９も取付座側仮想平面Ｑに沿って連続したものとしてもよく、このようなインサート取付座１３に第２の実施形態の切削インサートを取り付けたときには、互いの当接面積を大きくして一層の取付安定性の向上を図ることができる。また、このような連続した被当接面１９を有するインサート取付座１３に第１の実施形態の切削インサートを取り付けてもよい。
【０１３５】
なお、これら第１、第２の実施形態では、短側面４はインサートの取り付けに関与することがないため、この短側面４の副逃げ面４Ａ、４Ｂと一対の平行四辺形面２との交差稜線部に形成される副切刃６Ｂやコーナ刃６Ｃの形状を異なるものとしても、そのまま同じインサート取付座１３に取り付けることが可能となる。従って、上述のように軸線Ｏ方向に複数のインサート取付座１３を形成した場合に、最先端のインサート取付座１３に取り付けられる切削インサートは、例えば副逃げ面４Ａ、４Ｂの上記長手方向へのせり出し量を大きくして半径の大きなコーナ刃６Ｃを形成した切削インサートとしても取付可能である。すなわち、１つの工具本体１１に異なる半径のコーナ刃６Ｃを有する複数種の切削インサートを取り付けることができるから、肩削りの際に異なる半径の隅部を形成するような場合でも、１つの工具本体１１で対応することが可能となる。
【０１３６】
また、第１、第２の実施形態では、上述のように主逃げ面３Ａが捩れ面状とされるとともに、平行四辺形面２に対向する方向から見て主切刃６Ａが形成される長側面３の一対の長辺稜部が交差させられているが、本発明においては、図２６に示したように平行四辺形面２に対向する方向から見て上記一対の長辺稜部が重なり合うようにされていてもよく、この場合には長側面３全体がインサート中心線Ｃに平行に延びる平面状のネガ逃げ面とされていて、同じく平面状の被当接部２０に当接可能な当接部８とされていてもよい。
【産業上の利用可能性】
【０１３７】
以上説明したように、本発明の切削インサートおよび刃先交換式切削工具によれば、インサート取付座の工具本体後端側または内周側に大きなチップポケットを確保することができて、切屑排出性の向上を図ることができるとともに、工具本体の回転軸線方向または周方向に取付可能な切削インサートの数を増やして、効率的な切削加工を促すことが可能となる。従って、産業上の利用が可能である。
【符号の説明】
【０１３８】
１  インサート本体
２  平行四辺形面
２Ａ  ポジすくい面
３  長側面
３Ａ  主逃げ面
３Ｂ  凸曲面部
３Ｃ  凹曲面部
４  短側面
５  取付孔
６Ａ  主切刃
６Ｂ  副切刃
６Ｃ  コーナ刃
７  当接面
７Ａ、７Ｂ  当接面部
８  当接部
１１  工具本体
１３  インサート取付座
１４  インサート取付座１３の底面
１４Ａ  ネジ孔
１５、１６  インサート取付座１３の壁面
１８  クランプネジ
１９  被当接面
１９Ａ、１９Ｂ  被当接面部
２０  被当接部
Ａ  鋭角コーナ部
Ｂ  鈍角コーナ部
Ｃ  インサート中心線
Ｌ  インサート側仮想直線
Ｍ  取付座側仮想直線
Ｐ  インサート側仮想平面
Ｑ  取付座側仮想平面
Ｏ  工具本体１１の軸線
Ｔ  工具回転方向
【図１】
0005938868.tif 000002
【図２】
0005938868.tif 000003
【図３】
0005938868.tif 000004
【図４】
0005938868.tif 000005
【図５】
0005938868.tif 000006
【図６】
0005938868.tif 000007
【図７】
0005938868.tif 000008
【図８】
0005938868.tif 000009
【図９】
0005938868.tif 000010
【図１０】
0005938868.tif 000011
【図１１】
0005938868.tif 000012
【図１２】
0005938868.tif 000013
【図１３】
0005938868.tif 000014
【図１４】
0005938868.tif 000015
【図１５】
0005938868.tif 000016
【図１６】
0005938868.tif 000017
【図１７】
0005938868.tif 000018
【図１８】
0005938868.tif 000019
【図１９】
0005938868.tif 000020
【図２０】
0005938868.tif 000021
【図２１】
0005938868.tif 000022
【図２２】
0005938868.tif 000023
【図２３】
0005938868.tif 000024
【図２４】
0005938868.tif 000025
【図２５】
0005938868.tif 000026
【図２６】
0005938868.tif 000027
【図２７】
0005938868.tif 000028
【図２８】
0005938868.tif 000029
【図２９】
0005938868.tif 000030
【図３０】
0005938868.tif 000031
【図３１】
0005938868.tif 000032